(57)【要約】【課題】セキュリティ性を向上させることが可能な電気錠システム等を提供する。【解決手段】電気錠システム５は、暗証番号ＰＷinを入力するための入力部（テンキー１０）を有する操作入力器１と、電気錠３と、操作入力器１との間で無線通信Ｃ１２を行う機能を有し、電気錠３に対して施錠制御または解錠制御を行う制御機構２とを備えている。この制御機構２は、無線通信Ｃ１２を行う通信部２１と、暗証番号ＰＷｍを操作入力器１と対応付けて記憶する記憶部２２と、操作入力器１において入力された暗証番号ＰＷinと記憶部２２に記憶されている暗証番号ＰＷｍとの照合結果に応じて、電気錠３に対して解錠制御を行う制御部２３とを有している。【選択図】図２
2016132935.tif 000002
【特許請求の範囲】
【請求項１】
暗証番号を入力するための入力部を有する操作入力器と、
電気錠と、
前記操作入力器との間で無線通信を行う機能を有し、前記電気錠に対して施錠制御または解錠制御を行う制御機構と
を備え、
前記制御機構は、
前記無線通信を行う通信部と、
前記暗証番号を前記操作入力器と対応付けて記憶する記憶部と、
前記操作入力器において入力された暗証番号と前記記憶部に記憶されている暗証番号との照合結果に応じて、前記電気錠に対して前記解錠制御を行う制御部と
を有する電気錠システム。
【請求項２】
前記通信部は、前記操作入力器において入力された暗証番号を前記無線通信により受信し、
前記制御部は、
前記通信部において受信した暗証番号と、前記記憶部に記憶されている暗証番号との照合処理を行うと共に、
前記照合処理において正常認証された場合には、前記電気錠に対して前記解錠制御を行う
請求項１に記載の電気錠システム。
【請求項３】
前記制御機構は、自己に固有の識別ＩＤを送信する機能を有する遠隔操作器との間で前記無線通信を行う機能を更に有し、
前記通信部は、前記操作入力器または前記遠隔操作器から、それぞれに固有の種別ＩＤをヘッダ情報として受信すると共に、そのヘッダ情報とともに、前記操作入力器に対応する暗証番号または前記遠隔操作器に対応する識別ＩＤを照合用番号として受信し、
前記記憶部は、前記種別ＩＤと前記照合用番号とをそれぞれ対応付けて記憶しており、
前記制御部は、前記種別ＩＤと前記照合用番号とを利用した照合処理に基づいて、前記電気錠に対する前記解錠制御を行う
請求項２に記載の電気錠システム。
【請求項４】
前記通信部は、前記記憶部に記憶されている暗証番号を、前記無線通信により前記操作入力器へ送信し、
前記操作入力器は、
前記通信部から送信された暗証番号と、前記操作入力器において入力された暗証番号との照合処理を行うと共に、
前記照合処理において正常認証された場合には、前記電気錠に対して前記解錠制御を行うための指示信号を、前記無線通信を利用して前記制御機構側へ送信し、
前記制御部は、前記通信部を介して受信した前記指示信号に基づいて、前記電気錠に対して前記解錠制御を行う
請求項１に記載の電気錠システム。
【請求項５】
前記通信部から前記操作入力器へ送信された暗証番号は、所定時間の経過後に、前記操作入力器内から消去される
請求項４に記載の電気錠システム。
【請求項６】
前記指示信号が、前記操作入力器に対応する種別ＩＤを含んで構成されている
請求項４または請求項５に記載の電気錠システム。
【請求項７】
前記通信部から前記操作入力器への暗証番号の送信動作が、前記操作入力器側からの所定の動作により開始される
請求項４ないし請求項６のいずれか１項に記載の電気錠システム。
【請求項８】
前記所定の動作が、前記操作入力器から前記制御機構に対する、その操作入力器に対応する種別ＩＤの送信動作である
請求項７に記載の電気錠システム。
【請求項９】
前記制御機構は、ユーザによる所定の操作により得られる操作信号に応じて起動するか、あるいは、前記操作入力器からの前記無線通信による信号の受信を待機している
請求項１ないし請求項８のいずれか１項に記載の電気錠システム。
【請求項１０】
前記操作入力器が、前記電気錠が設けられた扉における屋外側の周辺領域に取り付けられている
請求項１ないし請求項９のいずれか１項に記載の電気錠システム。
【請求項１１】
電気錠システムに適用される、暗証番号の照合処理を利用したユーザの認証方法であって、
入力部を有する操作入力器において前記ユーザにより入力された暗証番号と、前記操作入力器との間で無線通信を行う機能を有する制御機構内に前記操作入力器と対応付けて記憶されている暗証番号と、の照合処理を行い、
前記照合処理における照合結果に応じて、電気錠に対して解錠制御を行う
認証方法。
【請求項１２】
電気錠システムにおいて、暗証番号の照合結果に応じた電気錠に対する解錠制御の際に利用される前記暗証番号の登録方法であって、
入力部を有する操作入力器においてユーザにより入力される暗証番号との照合処理を行うための暗証番号を、前記操作入力器との間で無線通信を行う機能を有する制御機構内に前記操作入力器と対応付けて記憶させておくことにより、前記暗証番号の事前登録を行う
登録方法。
【発明の詳細な説明】
【技術分野】
【０００１】
本発明は、暗証番号の照合処理を利用して電気錠の解錠制御を行う電気錠システム、ならびにそのような電気錠システムに適用される認証方法および登録方法に関する。
【背景技術】
【０００２】
従来、暗証番号の照合処理を利用して電気錠に対する解錠制御を行うようにした電気錠システムが提案されている（例えば、特許文献１，２参照）。この種の電気錠システムでは、例えばテンキーを用いてユーザ（操作者）から入力された暗証番号と、事前に登録されている暗証番号とが照合され、それらが一致して正常認証された場合には、電気錠に対する解錠制御がなされるようになっている。
【先行技術文献】
【特許文献】
【０００３】
【特許文献１】特開平２−３５１７７号公報
【特許文献２】特開平２−２５６７７４号公報
【発明の概要】
【発明が解決しようとする課題】
【０００４】
ところで、このような電気錠システムでは一般に、暗証番号を利用した照合処理（ユーザの認証）を行っていることから、セキュリティ性を向上させることが求められている。したがって、セキュリティ性を向上させる手法の提案が望まれる。
【０００５】
本発明はかかる問題点に鑑みてなされたもので、その目的は、セキュリティ性を向上させることが可能な電気錠システム、認証方法および登録方法を提供することにある。
【課題を解決するための手段】
【０００６】
本発明の電気錠システムは、暗証番号を入力するための入力部を有する操作入力器と、電気錠と、操作入力器との間で無線通信を行う機能を有し、電気錠に対して施錠制御または解錠制御を行う制御機構とを備えたものである。この制御機構は、上記無線通信を行う通信部と、暗証番号を操作入力器と対応付けて記憶する記憶部と、操作入力器において入力された暗証番号と記憶部に記憶されている暗証番号との照合結果に応じて、電気錠に対して解錠制御を行う制御部とを有している。
【０００７】
本発明の認証方法は、電気錠システムに適用される、暗証番号の照合処理を利用したユーザの認証方法であって、入力部を有する操作入力器においてユーザにより入力された暗証番号と、操作入力器との間で無線通信を行う機能を有する制御機構内に操作入力器と対応付けて記憶されている暗証番号と、の照合処理を行い、この照合処理における照合結果に応じて、電気錠に対して解錠制御を行うようにしたものである。
【０００８】
本発明の登録方法は、電気錠システムにおいて、暗証番号の照合結果に応じた電気錠に対する解錠制御の際に利用される暗証番号の登録方法であって、入力部を有する操作入力器においてユーザにより入力される暗証番号との照合処理を行うための暗証番号を、操作入力器との間で無線通信を行う機能を有する制御機構内に操作入力器と対応付けて記憶させておくことにより、暗証番号の事前登録を行うようにしたものである。
【発明の効果】
【０００９】
本発明の電気錠システム、認証方法および登録方法によれば、セキュリティ性を向上させることが可能となる。
【図面の簡単な説明】
【００１０】
【図１】本発明の第１の実施の形態に係る電気錠システムの概要構成例を表す外観模式図である。
【図２】図１に示した電気錠システムの詳細構成例を表すブロック図である。
【図３】図２に示した制御機構内の記憶部に記憶されているデータの一例を表す模式図である。
【図４】比較例１に係る電気錠システムの構成を表すブロック図である。
【図５】比較例２に係る電気錠システムの構成を表すブロック図である。
【図６】図２に示した電気錠システムの動作例を表す流れ図である。
【図７】第２の実施の形態に係る電気錠システムの構成例を表すブロック図である。
【図８】図７に示した電気錠システムの動作例を表す流れ図である。
【発明を実施するための形態】
【００１１】
以下、本発明の実施の形態について、図面を参照して詳細に説明する。なお、説明は以下の順序で行う。
１．第１の実施の形態（入力された暗証番号が制御機構へ送信され照合される例）
２．第２の実施の形態（記憶されている暗証番号が操作入力器へ送信され照合される例）
３．変形例
【００１２】
＜１．第１の実施の形態＞
［構成］
図１は、本発明の第１の実施の形態に係る電気錠システム（後出する電気錠システム５）の概要構成例を、外観模式図で表したものである。この電気錠システムは、図１に示したように、例えば、複数の部屋（住戸）を有するマンションなどの集合住宅における、各住戸の扉６に適用（設置）されるシステムである。なお、本実施の形態に係るユーザの認証方法および暗証番号の（事前の）登録方法はそれぞれ、本実施の形態の電気錠システムにおいて具現化されるため、以下、併せて説明する。
【００１３】
この電気錠システムでは、例えば図１に示したように、扉６に設けられた電気錠３（この例では２つの電気錠３）の施錠および解錠が、制御機構２（制御ユニット）によって制御されるようになっている。また、この例では、テンキー１０を有する操作入力器１が、扉６の屋外側の周辺領域（例えば図１に示したように、屋外側の壁上）に、着脱可能に取り付けられている。この操作入力器１と、制御機構２内の通信部２１との間は、図１に示したように、無線通信Ｃ１２（非接触通信）を行うことが可能となっている。そして、帰宅したユーザ（居住者，住人）９によってテンキー１０を用いて入力された暗証番号と、この電気錠システムに事前に登録されている暗証番号とが照合され、その照合処理の結果（照合結果）に応じて、電気錠３に対する解錠制御が行われるようになっている。
【００１４】
図２は、このような電気錠システムの詳細構成例をブロック図で表したものである。図２に示したように、電気錠システム５は、上記した操作入力器１、制御機構２および電気錠３を備えている。なお、図２に示したように、操作入力器１および制御機構２内の通信部２１はそれぞれ、屋外に設置されている一方、制御機構２内の他のブロック（後述する記憶部２２および制御部２３など）および電気錠３はそれぞれ、屋内（室内）に設置されている。
【００１５】
（操作入力器１）
操作入力器１は、上記したように、例えば、扉６の屋外側の周辺領域に着脱可能に取り付けられており、制御機構２（通信部２１）との間で無線通信Ｃ１２を行う機能を有している。ただし、操作入力器１が、ユーザ９によって所持されるもの（携帯型）であってもよい。この操作入力器１は、図２に示したように、前述したテンキー１０に加え、通信部１１、記憶部１２および制御部１３を有している。
【００１６】
テンキー１０は、ユーザ９によって暗証番号（暗証番号ＰＷin）を入力するための部材であり、この例では図１に示したように、「０」〜「９」の各数字および所定の英字のキーが、マトリクス状に配置されたものとなっている。なお、セキュリティ向上を図るため、例えば液晶（ＬＣＤ：Liquid Crystal Display）パネルや有機ＥＬ（Electro Luminescence）パネル等の各種の表示パネルを用いてテンキー１０を構成し、テンキー１０内のキー配列がランダムに変化するようにしてもよい。このようなテンキー１０を用いてユーザ９から入力された操作信号（暗証番号ＰＷin）は、制御部１３へ出力されるようになっている。なお、このテンキー１０は、本発明における「入力部」の一具体例に対応している。
【００１７】
通信部１１は、図２に示したように、制御機構２内の通信部２１との間で無線通信Ｃ１２を行う機能を有している。これにより操作入力器１と制御機構２との間で、入力された暗証番号ＰＷinを含む各種情報の無線通信（ワイヤレスでの送受信）を行うことが可能となっている。また、この無線通信Ｃ１２は、例えば、ＬＦ波（Low Frequency；長波）やＶＨＦ波（Very Low Frequency；超長波）等の電波式の通信で行われ、その際の通信範囲（送受信が可能な範囲）が所定の距離（例えば数ｍ程度）に設定されている。このような通信部１１は、例えば、無線通信にて各種情報のリード（読み取り）およびライト（書き込み）が可能な記憶領域を有するＩＣチップを用いた、ＲＦＩＤ（Radio Frequency Identification Tag）タグにより構成されている。
【００１８】
記憶部１２は、操作入力器１の識別データ（例えば、後述する種別ＩＤ８１や機器番号等）を含め、各種のデータを記憶する部分である。このような記憶部１２は、例えば、磁気的記録媒体、光学的記憶媒体、または、ＲＯＭ（Read Only Memory），ＲＡＭ（Random Access Memory）等の半導体メモリなどの、各種の記録媒体により構成されている。
【００１９】
制御部１３は、各種データの入出力制御および処理制御や通信制御等、操作入力器１における各種の制御を行うものである。具体的には、制御部１３は、例えば、テンキー１０から入力された暗証番号ＰＷinを、無線通信Ｃ１２によって制御機構２（通信部２１）へ送信する制御を行うようになっている。このような制御部１３は、例えば、ＣＰＵ（Central Processing Unit）やＲＯＭ、ＲＡＭ等を用いたマイクロコンピューターなどにより構成されている。なお、この制御部１３における制御動作の詳細については、後述する（図６）。
【００２０】
（制御機構２）
制御機構２は、操作入力器１との間で無線通信Ｃ１２を行う機能を有しており、前述したように、電気錠３に対して施錠制御または解錠制御を行うものである。この制御機構２は、図２に示したように、前述した通信部２１に加え、記憶部２２および制御部２３を有している。
【００２１】
通信部２１は、図２に示したように、操作入力器１内の通信部１１との間で無線通信Ｃ１２を行うものである。この通信部２１は、通信部１１と同様に、例えばＲＦＩＤタグを用いて構成されている。
【００２２】
記憶部２２は、図２に示したように、予め事前登録された暗証番号ＰＷｍを含め、各種のデータを記憶する部分である。この記憶部２２は、前述した記憶部１２と同様に、各種の記録媒体により構成されている。
【００２３】
図３は、記憶部２２に記憶されているデータの一例を、模式図で表したものである。図３に示したように、この記憶部２２では、事前登録された暗証番号ＰＷｍが、その暗証番号ＰＷｍに対応する暗証番号ＰＷinが入力される操作入力器１と、対応付けて記憶されている。また、この例では記憶部２２には、この操作入力器１（テンキー１０を有する操作器）に加え、他の操作器（例えば図３中に示した遠隔操作器４（リモコン））に関するデータについても記憶されるようになっている。
【００２４】
換言すると、この例では制御機構２（通信部２１）は、操作入力器１に加え、自己に固有の識別ＩＤ（Identification）８２を送信する機能を有する遠隔操作器４との間でも、無線通信を行う機能を有している。そして通信部２１は、これらの操作入力器１または遠隔操作器４から、それぞれに固有の種別ＩＤ８１を、無線通信の際のヘッダ情報として受信するようになっている。また、通信部２１は、無線通信の際にはそのヘッダ情報（種別ＩＤ８１）とともに、操作入力器１に対応する暗証番号ＰＷｍ、または、遠隔操作器４に対応する上記識別ＩＤ８２を、照合用番号として操作入力器１または遠隔操作器４から受信するようになっている。
【００２５】
したがって、図３を参照して、記憶部２２に記憶されているデータの一例について、具体的に説明すると、以下の通りとなっている。すなわち、この記憶部２２には、無線通信Ｃ１２の際のヘッダ情報としての種別ＩＤ８１（操作器の種別を示す情報）と、照合用番号としての暗証番号ＰＷｍまたは識別ＩＤ８２（操作器の識別情報）とが、操作器の種別ごとにそれぞれ、対応付けられて記憶されている。つまり、記憶部２２では、暗証番号ＰＷｍと識別ＩＤ８２とが特に区別されず、照合用番号として記憶されるようになっている。より具体的には、この例では、遠隔操作器４に関しては、種別ＩＤ８１＝「１１１」と、照合用番号（識別ＩＤ８２）＝「３６７８」とが、対応付けて記憶されている。また、操作入力器１に関しては、種別ＩＤ８１＝「２２２」と、照合用番号（暗証番号ＰＷｍ）＝「１２３４」とが、対応付けて記憶されている。
【００２６】
図２に示した制御部２３は、各種データの入出力制御および処理制御や通信制御、照合処理等、制御機構２における各種の制御を行うと共に、電気錠３に対する施錠制御および解除制御を行うものである。具体的には、制御部２３は、例えば、操作入力器１において入力されて制御機構２へ送信された暗証番号ＰＷinと、記憶部２２に記憶されている（事前登録されている）暗証番号ＰＷｍとの照合処理を行う機能を有している。この照合処理は、換言すると、上記した種別ＩＤ８１および照合用番号（暗証番号ＰＷｍまたは識別ＩＤ８２）を利用して行われるようになっている。また、制御部２３は、このような照合処理の結果（照合結果）に応じて、電気錠３に対して解除制御を行う機能を有している。このような制御部２３は、前述した制御部１３と同様に、例えばＣＰＵやＲＯＭ、ＲＡＭ等を用いたマイクロコンピューターなどにより構成されている。なお、この制御部２３における制御動作の詳細については、後述する（図６）。
【００２７】
（電気錠３）
電気錠３は、例えばモータやアクチュエータ等の駆動機構を含んで構成されており、前述したように、扉６に対して１または複数個（この例では２個）設けられている。そして上記したように、この電気錠３は、制御機構２内の制御部２３によって、その施解錠（施錠および解錠）の制御がなされるようになっている。
【００２８】
［作用・効果］
（Ａ．基本動作）
この電気錠システム５では、例えば図１および図２に示したように、帰宅したユーザ９によって、テンキー１０を用いて操作入力器１へ暗証番号ＰＷinが入力されると、以下のようにして、ユーザの認証処理（暗証番号の照合処理およびその結果に応じた電気錠３に対する解除制御）が行われる。
【００２９】
すなわち、まず、この操作入力器１と制御機構２内の通信部２１との間の無線通信Ｃ１２（非接触通信）によって、操作入力器１に入力された暗証番号ＰＷinが、制御機構２内（通信部２１）へ送信される。次いで、その送信された暗証番号ＰＷinと、この電気錠システム５に事前に登録されている暗証番号ＰＷｍとの照合処理が行われる。そして、これらの暗証番号ＰＷinと暗証番号ＰＷｍとが一致して正常認証された場合には、電気錠３に対する解錠制御が行われる。
【００３０】
（Ｂ．詳細動作）
次に、このような電気錠システム５における詳細動作例について、比較例（比較例１，２）と比較しつつ説明する。
【００３１】
（Ｂ−１．比較例１）
図４は、比較例１に係る電気錠システム（電気錠システム１０５）の構成をブロック図で表したものである。この比較例１の電気錠システム１０５は、操作入力器１０１、制御機構１０２および電気錠３を備えている。すなわち、本実施の形態の電気錠システム５において、操作入力器１および制御機構２の代わりにそれぞれ、操作入力器１０１および制御機構１０２を設けたものに対応しており、他の構成は基本的に同様となっている。また、操作入力器１０１は、操作入力器１において制御部１３の代わりに制御部１０３Ａを設けたものに対応し、制御機構１０２は、制御機構２において制御部１３の代わりに制御部１０３Ｂを設けたものに対応している。
【００３２】
この比較例１の電気錠システム１０５では、図４に示したように、電気錠システム５とは異なり、操作入力器１０１（通信部１１）と制御機構１０２（通信部２１）との間で、有線通信Ｃ１０２がなされるようになっている。また、制御機構１０２内の記憶部２２ではなく、操作入力器１０１内の記憶部１２に、事前に登録された暗証番号ＰＷｍが記憶されている。したがって、制御機構１０２内の制御部１０３Ｂではなく、操作入力器１０１内の制御部１０３Ａにおいて、入力された暗証番号ＰＷinと記憶されている暗証番号ＰＷｍとの照合処理が行われる。なお、このようにしてなされた照合処理において正常認証がなされた場合には、制御部１０３Ａから有線通信Ｃ１０２を介して、電気錠３に対して解錠制御するための指示信号Ｓｉが、制御部１０３Ｂへ供給されるようになっている。
【００３３】
ここで、この比較例１では、操作入力器１０１と制御機構１０２との間が有線接続されていることから、それらの間の配線によって、操作入力器１０１の取付場所（設置場所）が制限を受けるとともに、操作入力器１０１の後付け（追加での設置）も困難となる。したがって、この電気錠システム１０５では、ユーザの利便性が損なわれてしまうおそれがある。
【００３４】
（Ｂ−２．比較例２）
一方、図５は、比較例２に係る電気錠システム（電気錠システム２０５）の構成をブロック図で表したものである。この比較例２の電気錠システム２０５は、上記比較例１の電気錠システム１０５と同様に、操作入力器１０１、制御機構１０２および電気錠３を備えている。また、電気錠システム１０５と同様に、制御機構１０２内の記憶部２２ではなく、操作入力器１０１内の記憶部１２に、事前に登録された暗証番号ＰＷｍが記憶されている。そして、電気錠システム１０５と同様に、操作入力器１０１内の制御部１０３Ａでなされた照合処理において正常認証がなされた場合には、電気錠３に対して解錠制御するための指示信号Ｓｉが、制御部１０３Ａから制御部１０３Ｂへ供給されるようになっている。
【００３５】
ただし、この比較例２の電気錠システム２０５では、電気錠システム１０５とは異なり、本実施の形態の電気錠システム５と同様に、操作入力器１０１と制御機構１０２との間が無線接続されている（無線通信Ｃ１２が行われるようになっている）。したがって、この比較例２では上記比較例１とは異なり、操作入力器１０１と制御機構１０２との間の配線が不要となることから、操作入力器１０１の取付場所が制限を受けなくなる（取付場所が自由となる）とともに、操作入力器１０１の後付けも実現可能となる。つまり、比較例１と比べ、ユーザの利便性が向上することになる。
【００３６】
ところが、この操作入力器１０１が制御機構１０２と無線接続されている（配線接続されていない）ことから、例えば扉６の屋外側に取り付けられている場合、操作入力器１０１が他人に持っていかれる（盗難される）おそれがある。また、例えばユーザが操作入力器１０１を携帯している場合、その操作入力器１０１を紛失するおそれがある。そして、図５に示したように、この比較例２では、操作入力器１０１内（記憶部１２）に事前登録された暗証番号ＰＷｍが常時記憶されているため、盗難や紛失した操作入力器１０１が分解されて解析されると、他人に暗証番号ＰＷｍを解読されてしまうおそれがある。つまり、この比較例２では、上記したようにユーザの利便性向上が図られる一方で、セキュリティ性の低下が生じるリスクがあることになる。
【００３７】
（Ｂ−３．本実施の形態の作用）
これに対して本実施の形態の電気錠システム５では、図２に示したように、操作入力器１内の記憶部１２ではなく、制御機構２内の記憶部２２に、事前に登録された暗証番号ＰＷｍが記憶されている。そして、操作入力器１内の制御部１３ではなく、制御機構２内の制御部２３において、入力された暗証番号ＰＷinと記憶されている暗証番号ＰＷｍとの照合処理が行われる。なお、このようにしてなされた照合処理において正常認証がなされた場合には、制御部２３から電気錠３に対し、解錠制御が直接なされるようになっている。
【００３８】
したがって、本実施の形態では上記比較例２と比べ、セキュリティ性が向上することになる。具体的には、操作入力器１が制御機構２と無線接続されている（配線接続されていない）ことに起因して、仮に操作入力器１が盗難や紛失したりしたとしても、以下のようになる。すなわち、上記比較例２とは異なり、操作入力器１内（記憶部１２）には事前登録された暗証番号ＰＷｍが記憶されていないことから、操作入力器１が分解されて解析されたとしても、他人に暗証番号ＰＷｍを解読されてしまうおそれがない。
【００３９】
なお、本実施の形態においても比較例２と同様に、操作入力器１と制御機構２との間の配線が不要となることから、操作入力器１の取付場所が制限を受けなくなる（取付場所が自由となる）とともに、操作入力器１の後付けも実現可能となる。つまり、上記比較例１と比べ、ユーザの利便性が向上することになる。
【００４０】
（Ｂ−４．電気錠システム５の動作例）
続いて図６を参照して、この電気錠システム５の動作例について、より具体的に説明する。図６は、図１および図２に示した電気錠システム５の動作例を流れ図で表したものであり、操作入力器１および制御機構２の各動作例（暗証番号の事前の登録方法、および、暗証番号の照合処理を利用したユーザの認証方法）について、時系列に沿って示している。
【００４１】
（暗証番号の事前の登録方法）
この動作例では、まず、制御機構２内の記憶部２２に、照合処理を行うための暗証番号ＰＷｍが、ユーザ９によって事前に登録される（図６のステップＳ１００）。具体的には、例えば図３に示したように、無線通信Ｃ１２の際のヘッダ情報としての種別ＩＤ８１と、照合用番号としての暗証番号ＰＷｍまたは識別ＩＤ８２とが、操作器の種別ごとにそれぞれ、対応付けられて順次記憶される。このようにして、以下説明するユーザ認証の前に、暗証番号ＰＷｍ（照合用番号）の事前登録が行われる。
【００４２】
（ユーザの認証方法）
続いて、暗証番号の照合処理を利用したユーザ認証の際には、まず、制御機構２が、操作入力器１からの無線通信Ｃ１２による信号受信の待機状態となる（ステップＳ１０１）。
【００４３】
ここで、このような信号受信の待機状態となるのに際しては、例えば以下の２つの手法（手法１，手法２）が挙げられる。
・（手法１）：制御機構２が、ユーザ９による所定の操作により得られる操作信号に応じて起動し、信号受信の待機状態となる手法（例えば、通信部２１に設けられた所定のスイッチを押すことで、制御機構２が起動して信号受信の待機状態となる手法。）。
・（手法２）：制御機構２が常時起動しており、例えば間欠的に信号受信の待機（検出）をする手法。
【００４４】
手法１の場合、ユーザ９による所定の操作（スイッチを押すことなど）が必要となるため、ひと手間かかることになる。ただし、そのような操作が行われるまでは起動しないため、制御機構２における消費電力の削減が可能となり、特に制御機構２や電気錠３が電池電源の場合等には利点が大きいと言える。一方、手法２の場合、そのようなユーザ９による所定の操作が不要となるため、手法１の場合と比べ、ユーザ９の手間が省けて利便性が向上するという利点がある。ただし、制御機構２が常時起動していて例えば間欠的に信号検知していることから、手法１の場合と比べ、制御機構２における消費電力が増加してしまうことになる。
【００４５】
次いで、制御機構２がこのような信号受信の待機状態となっているときに、ユーザ９によってテンキー１０が操作されることで、操作入力器１に暗証番号ＰＷinが入力されると（ステップＳ１０２）、この操作入力器１において以下の動作がなされる。すなわち、まず、操作入力器１内の通信部１１は、テンキー１０から入力された暗証番号ＰＷinを、制御部１３の指示に従い、無線通信Ｃ１２によって制御機構２側（通信部２１）へ送信する（ステップＳ１０３）。なお、この無線通信Ｃ１２の際には、前述したヘッダ情報としての種別ＩＤ８１と、照合用番号としての暗証番号ＰＷinとが、ともに通信部１１から通信部２１へと送信される。
【００４６】
続いて、制御機構２内の制御部２３は、このようにして通信部２１において受信した暗証番号ＰＷinと、記憶部２２内に記憶されている（上記したようにして事前登録されている）暗証番号ＰＷｍとの照合処理を行う（ステップＳ１０４）。具体的には、制御部２３は、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、例えば照合回数の制限を設ける（照合回数が所定の上限回数を超えた場合には、照合処理を強制的に終了する等）などの対応策を取ることで、セキュリティ性を確保するようにするのが望ましい。
【００４７】
ここで、この照合処理において正常認証されなかった場合（ＰＷin＝ＰＷｍを満たさない場合）には（ステップＳ１０４：Ｎ）、制御部２３は電気錠３に対して解錠制御を行わない（電気錠３を非解錠として施錠状態のままとする）ようにする（ステップＳ１０５）。そして、制御機構２は、再び前述したステップＳ１０１へと戻ることになる。
【００４８】
一方、照合処理において正常認証された場合（ＰＷin＝ＰＷｍを満たす場合）には（ステップＳ１０４：Ｙ）、制御部２３は電気錠３に対して解錠制御を行う（ステップＳ１０６）。これにより、ユーザ９は扉６を開くことができるようになり、図６に示した一連の動作例が終了となる。
【００４９】
以上のように本実施の形態では、制御機構２内の記憶部２２に事前登録された暗証番号ＰＷｍが記憶されていると共に、制御機構２内の制御部２３において、入力された暗証番号ＰＷinとこの記憶されている暗証番号ＰＷｍとの照合処理が行われるようにしたので、以下のようになる。すなわち、操作入力器１と制御機構２とが無線接続されていることに起因して、仮に操作入力器１が盗難や紛失したりしたとしても、この操作入力器１内には事前登録された暗証番号ＰＷｍが記憶されていないことから、操作入力器１が分解されて解析されたとしても、他人に暗証番号ＰＷｍを解読されてしまうおそれがない。よって、本実施の形態の電気錠システム５では、無線通信Ｃ１２を利用して暗証番号による照合処理を行う際の、セキュリティ性を向上させることが可能となる。
【００５０】
また、例えば図３に示したように、記憶部２２には、無線通信Ｃ１２の際のヘッダ情報としての種別ＩＤ８１と、照合用番号としての暗証番号ＰＷｍまたは識別ＩＤ８２とが、操作器の種別ごとにそれぞれ、対応付けられて記憶されているようにしたので、以下の効果も得られる。すなわち、記憶部２２では、暗証番号ＰＷｍと識別ＩＤ８２とが特に区別されずに照合用番号として記憶されているので、テンキー１０を有する操作器（操作入力器１）だけでなく、他の種類の操作器（例えば前述した遠隔操作器４など）にも適用することが可能となる。
【００５１】
＜２．第２の実施の形態＞
続いて、本発明の第２の実施の形態について説明する。
【００５２】
上記第１の実施の形態では、操作入力器１において入力された暗証番号ＰＷinが、制御機構２へ送信されて照合される場合の例について説明した。これに対して第２の実施の形態では、後述する制御機構２Ａ内に記憶されている暗証番号ＰＷｍが、後述する操作入力器１Ａへ送信されて照合される場合の例について説明する。なお、以下では、第１の実施の形態における構成要素と同一のものには同一の符号を付し、適宜説明を省略する。
【００５３】
［構成］
図７は、第２の実施の形態に係る電気錠システム（電気錠システム５Ａ）の構成例を、ブロック図で表したものである。この図７に示したように、本実施の形態の電気錠システム５Ａは、操作入力器１Ａ、制御機構２Ａおよび電気錠３を備えている。すなわち、第１の実施の形態の電気錠システム５において、操作入力器１および制御機構２の代わりにそれぞれ、操作入力器１Ａおよび制御機構２Ａを設けたものに対応しており、他の構成は基本的に同様となっている。なお、本実施の形態に係るユーザの認証方法および暗証番号の（事前の）登録方法もそれぞれ、本実施の形態の電気錠システム５Ａにおいて具現化されるため、以下、併せて説明する。
【００５４】
（操作入力器１Ａ）
操作入力器１Ａは、図７に示したように、操作入力器１において制御部１３の代わりに制御部１３Ａを設けたものに対応し、他の構成は基本的に同様となっている。
【００５５】
この制御部１３Ａは、制御機構２Ａ側（通信部２１）から送信されてきた暗証番号ＰＷｍと、操作入力器１Ａにおいて入力された暗証番号ＰＷinとの照合処理を行う機能を有している。また、制御部１３Ａは、この照合処理において正常認証された場合には、電気錠３に対して解錠制御を行うための指示信号Ｓｉを、無線通信Ｃ１２を利用して通信部１１から制御機構２Ａ側（通信部２１）へと送信させる機能を有している。なお、この制御部１３Ａにおける制御動作の詳細については、後述する（図８）。
【００５６】
（制御機構２Ａ）
制御機構２Ａは、図７に示したように、制御機構２において制御部２３の代わりに制御部２３Ａを設けたものに対応し、他の構成は基本的に同様となっている。
【００５７】
この制御部２３Ａは、制御機構２Ａ内の記憶部２２に記憶されている（事前登録されている）暗証番号ＰＷｍを、無線通信Ｃ１２を利用して通信部２１から操作入力器１Ａ側（通信部１１）へと送信させる機能を有している。また、制御部２３Ａは、上記したようにして通信部２１を介して操作入力器１Ａ側から受信した指示信号Ｓｉに基づいて、電気錠３に対して解錠制御を行う機能を有している。なお、この制御部２３Ａにおける制御動作の詳細については、後述する（図８）。
【００５８】
［作用・効果］
（Ｃ．電気錠システム５Ａの作用）
この電気錠システム５Ａにおいても、図７に示したように、第１の実施の形態の電気錠システム５と同様に、操作入力器１Ａ内の記憶部１２ではなく、制御機構２Ａ内の記憶部２２に、事前登録された暗証番号ＰＷｍが記憶されている。一方で、電気錠システム５とは異なり、この暗証番号ＰＷｍが制御機構２Ａ内から操作入力器１Ａ側へと無線通信Ｃ１２により送信されることで、以下のようにして照合処理が行われる。すなわち、制御機構２Ａ内の制御部２３Ａではなく、操作入力器１Ａ内の制御部１３Ａにおいて、入力された暗証番号ＰＷinと暗証番号ＰＷｍとの照合処理が行われる。なお、このようにしてなされた照合処理において正常認証がなされた場合には、制御部１３Ａから電気錠３に対し、間接的に（解錠制御を行うための指示信号Ｓｉを利用して制御部２３Ａを介して）解錠制御がなされるようになっている。
【００５９】
これにより、本実施の形態においても第１の実施の形態と同様に、前述した比較例２と比べ、セキュリティ性が向上することになる。具体的には、操作入力器１Ａが制御機構２Ａと無線接続されている（配線接続されていない）ことに起因して、仮に操作入力器１Ａが盗難や紛失したりしたとしても、以下のようになる。すなわち、比較例２とは異なり、操作入力器１Ａ内（記憶部１２）には、事前登録された暗証番号ＰＷｍが記憶されていない（送信された暗証番号ＰＷｍが一時的に保持されるだけである）。したがって、第１の実施の形態と同様に、操作入力器１Ａが分解されて解析されたとしても、他人に暗証番号ＰＷｍを解読されてしまうおそれがない。
【００６０】
（Ｄ．電気錠システム５Ａの動作例）
続いて図８を参照して、この電気錠システム５Ａの動作例について、より具体的に説明する。図８は、図７に示した電気錠システム５Ａの動作例を流れ図で表したものであり、操作入力器１Ａおよび制御機構２Ａの各動作例（暗証番号の事前の登録方法、および、暗証番号の照合処理を利用したユーザの認証方法）について、時系列に沿って示している。
【００６１】
（暗証番号の事前の登録方法）
この動作例では、まず、図６に示した第１の実施の形態と同様にして、制御機構２Ａ内の記憶部２２に、照合処理を行うための暗証番号ＰＷｍが、ユーザ９によって事前に登録される（図８のステップＳ２００）。このようにして、以下説明するユーザ認証の前に、暗証番号ＰＷｍ（照合用番号）の事前登録が行われる。
【００６２】
（ユーザの認証方法）
続いて、暗証番号の照合処理を利用したユーザ認証の際には、まず、制御機構２Ａが、操作入力器１Ａからの無線通信Ｃ１２による信号受信の待機状態となる（ステップＳ２０１）。なお、このような信号受信の待機状態となるのに際しては、第１の実施の形態と同様に、前述した２つの手法（手法１，手法２）が挙げられる。
【００６３】
次いで、制御機構２Ａがこのような信号受信の待機状態となっているときに、無線通信Ｃ１２を利用して、所定のトリガ信号が操作入力器１Ａから制御機構２Ａ側へと送信されると（ステップＳ２０２）、この制御機構２Ａにおいて以下の動作がなされる。すなわち、制御機構２Ａ内の通信部２１は、制御部２３Ａの指示に従い、記憶部２２に記憶されている（上記したようにして事前登録されている）暗証番号ＰＷｍを、無線通信Ｃ１２によって操作入力器１Ａ側（通信部１１）へと送信する（ステップＳ２０３）。
【００６４】
このようにして、通信部２１から操作入力器１Ａ（通信部１１）への暗証番号ＰＷｍの送信動作が、操作入力器１Ａ側からの所定の動作により開始される。具体的には、この例では、この所定の動作が、操作入力器１Ａから制御機構２Ａに対する所定のトリガ信号（例えば、その操作入力器１Ａに対応する種別ＩＤ８１）の送信動作となっている。
【００６５】
ここで、このような制御機構２Ａから操作入力器１Ａへの暗証番号ＰＷｍの送信の際には、無線通信Ｃ１２による送信であることから、セキュリティ性の確保のため、何らかの傍受対策（例えば、各種の暗号化処理など）を取るようにするのが望ましい。なお、このようにして操作入力器１Ａ側に暗証番号ＰＷｍが送信されても、ユーザ９（操作者）にはその送信された暗証番号ＰＷｍが把握できない（通知されない）ようになっている。
【００６６】
続いて、ユーザ９によってテンキー１０が操作されることで、操作入力器１Ａに暗証番号ＰＷinが入力されると（ステップＳ２０４）、この操作入力器１Ａにおいて以下の動作がなされる。すなわち、まず、操作入力器１Ａ内の制御部１３Ａは、上記のようにして通信部１１において受信した暗証番号ＰＷｍと、ユーザ９によって入力された暗証番号ＰＷinとの照合処理を行う（ステップＳ２０５）。具体的には、制御部１３Ａは、これらの暗証番号ＰＷinと暗証番号ＰＷｍとが互いに一致するのか否か（ＰＷin＝ＰＷｍを満たすのか否か）を判断することで、そのような照合処理を行う。なお、この照合処理の際には、第１の実施の形態と同様に、例えば照合回数の制限を設けるなどの対応策を取ることで、セキュリティ性を確保するようにするのが望ましい。
【００６７】
ここで、この照合処理において正常認証されなかった場合（ＰＷin＝ＰＷｍを満たさない場合）には（ステップＳ２０５：Ｎ）、制御部１３Ａは、電気錠３に対する解錠制御を行わせないようにする。具体的には、操作入力器１Ａでは、以下説明するステップＳ２０６，Ｓ２０７へと進まず、後述するステップＳ２０８へと進む（あるいは、前述したステップＳ２０４へと再び戻る）ことになる。
【００６８】
一方、照合処理において正常認証された場合（ＰＷin＝ＰＷｍを満たす場合）には（ステップＳ２０５：Ｙ）、制御部１３Ａは、電気錠３に対して解錠制御を行うための指示信号Ｓｉを、無線通信Ｃ１２を利用して通信部１１から制御機構２Ａ側（通信部２１）へと送信させる（ステップＳ２０６）。なお、このときの指示信号Ｓｉとしては、例えば、操作入力器１Ａに対応する種別ＩＤ８１を含んで構成することが可能である。
【００６９】
続いて、制御機構２Ａ内の制御部２３Ａは、このようにして通信部２１を介して受信した指示信号Ｓｉに基づいて、電気錠３に対して解錠制御を行う（ステップＳ２０７）。これにより、ユーザ９は扉６を開くことができるようになる。
【００７０】
なお、前述したステップＳ２０３において、通信部２１から操作入力器１Ａ側へ送信された暗証番号ＰＷｍは、所定時間（例えば数秒程度から数分程度など）の経過後に、その操作入力器１Ａ内から自動的に消去されるようになっている（ステップＳ２０８）。これにより前述したように、操作入力器１Ａ内（記憶部１２）には、事前登録された暗証番号ＰＷｍがそのまま記憶されず、一時的に保持されるだけとなる。したがって、第１の実施の形態と同様に、仮に操作入力器１Ａが盗難や紛失したりして、分解されて解析されたとしても、操作入力器１Ａ内には送信された暗証番号ＰＷｍが残っていない（記憶されていない）ことから、他人に暗証番号ＰＷｍを解読されてしまうおそれがない。
【００７１】
以上により、図８に示した一連の動作例が終了となる。
【００７２】
このようにして本実施の形態では、制御機構２Ａ内の記憶部２２に事前登録された暗証番号ＰＷｍが記憶されていると共に、操作入力器１Ａ内の制御部１３Ａにおいて、入力された暗証番号ＰＷinとこの記憶されている暗証番号ＰＷｍとの照合処理が行われるようにしたので、以下のようになる。すなわち、基本的には第１の実施の形態と同様の作用により、同様の効果を得ることが可能となる。具体的には、無線通信Ｃ１２を利用して暗証番号による照合処理を行う際の、セキュリティ性を向上させることが可能となる。
【００７３】
＜３．変形例＞
以上、実施の形態をいくつか挙げて本発明を説明したが、本発明はこれらの実施の形態に限定されず、種々の変形が可能である。
【００７４】
例えば、上記実施の形態では、操作入力器１，１Ａと制御機構２，２Ａとの間でのデータのやり取りの手法について具体的には説明したが、これらの手法には限られず、他の手法を用いてデータのやり取りを行うようにしてもよい。
【００７５】
また、上記実施の形態では、制御機構２，２Ａが操作入力器１，１Ａに加えて遠隔操作器４との間でも無線通信を行う機能を有している場合を例に挙げて説明したが、この例には限られない。すなわち、制御機構２，２Ａと遠隔操作器４等の他の操作器との無線通信機能については、必ずしも設けられていなくてもよい。
【００７６】
更に、上記実施の形態では、操作入力器１，１Ａおよび制御機構２，２Ａの構成例（機能ブロック構成例）について具体的に説明したが、これらの構成例には限られない。具体的には、例えば、本発明における「入力部」の具体例としては、上記実施の形態で説明したテンキー１０（各数字および所定の英字のキーがマトリクス状に配置されたもの）には限られず、他の構造のものであってもよい。すなわち、例えば、マトリクス配列以外の他の配列構造のものであったり、押し方等によって数字や英字等が規定される構造のボタンなどであってもよい。
【００７７】
加えて、本発明は、集合住宅以外の他の集合建築物（例えばオフィスビル等）にも適用することが可能である。
【符号の説明】
【００７８】
１，１Ａ…操作入力器、１０…テンキー、１１…通信部、１２…記憶部、１３，１３Ａ…制御部、２，２Ａ…制御機構、２１…通信部、２２…記憶部、２３，２３Ａ…制御部、３…電気錠、４…遠隔操作器（リモコン）、５，５Ａ…電気錠システム、６…扉、８１…種別ＩＤ（ヘッダ情報）、８２…識別ＩＤ、９…ユーザ（居住者）、Ｃ１２…無線通信、ＰＷin，ＰＷｍ…暗証番号、Ｓｉ…指示信号。
【図１】
2016132935.tif 000003
【図２】
2016132935.tif 000004
【図３】
2016132935.tif 000005
【図４】
2016132935.tif 000006
【図５】
2016132935.tif 000007
【図６】
2016132935.tif 000008
【図７】
2016132935.tif 000009
【図８】
2016132935.tif 000010